【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
エッジコンピューティングデバイスで、ネットワークからのコンテンツについての、モバイルデバイスによる要求を走査すること、エッジコンピューティングデバイスは、前記コンテンツについての要求のための中継ポイントとして働く、と、
前記エッジコンピューティングデバイスで、スモールセル中の基地局へのモバイルデバイスによってトリガされた入力に少なくとも部分的に基づいて前記スモールセル中の前記モバイルデバイスの物理的動作コンテキストを決定すること、前記決定された物理的動作コンテキストは、前記スモールセル内での前記モバイルデバイスのロケーションを備え、ここにおいて、前記基地局が、前記エッジコンピューティングデバイスとコロケートされる、と、
前記エッジコンピューティングデバイスによって、前記決定された物理的動作コンテキストおよび前記コンテンツについての前記要求に少なくとも部分的に基づいて前記モバイルデバイスのユーザに刺激を与えるように出力デバイスを制御することと
を備える、方法。
【請求項２】
前記出力デバイスを制御することが、
ディスプレイに対する前記モバイルデバイスの近接度に少なくとも部分的に基づいて前記ディスプレイを制御すること
を備える、請求項１に記載の方法。
【請求項３】
前記モバイルデバイスの前記物理的動作コンテキストを決定することが、
前記スモールセル中のセンサーからセンサーデータを収集することと、
前記モバイルデバイスの前記物理的動作コンテキストを決定するために前記センサーデータを分析することと
を備える、請求項１に記載の方法。
【請求項４】
前記センサーが、マイクロフォン、温度センサー、光センサー、またはカメラのうちの１つまたは複数である、請求項３に記載の方法。
【請求項５】
前記決定された物理的動作コンテキストに少なくとも部分的に基づいてデータコンテンツにアノテーションを付けることと、
前記モバイルデバイスに前記アノテーション付きデータコンテンツを送信することと
をさらに備える、請求項１に記載の方法。
【請求項６】
前記データコンテンツにアノテーションを付けることが、前記データコンテンツに広告付きのアノテーションを付けることを備える、請求項５に記載の方法。
【請求項７】
ワイヤレスデバイスにおけるワイヤレス通信のための装置であって、
エッジコンピューティングデバイスで、スモールセル中の基地局へのモバイルデバイスによってトリガされた入力に少なくとも部分的に基づいて前記スモールセル中のモバイルデバイスの物理的動作コンテキストを決定するための手段、前記決定された物理的動作コンテキストは、前記スモールセル内での前記モバイルデバイスのロケーションを備え、ここにおいて、前記基地局が、前記エッジコンピューティングデバイスとコロケートされる、と、
前記エッジコンピューティングデバイスで、ネットワークからのコンテンツについての、モバイルデバイスによる要求を走査する手段、前記エッジコンピューティングデバイスは、前記コンテンツについての要求のための中継ポイントとして働く、と、
前記エッジコンピューティングデバイスによって、前記決定された物理的動作コンテキストに少なくとも部分的に基づいて前記モバイルデバイスのユーザに刺激を与えるように出力デバイスを制御するための手段と
を備える、装置。
【請求項８】
前記出力デバイスを制御するための前記手段が、
ディスプレイに対する前記モバイルデバイスの近接度に少なくとも部分的に基づいて前記ディスプレイを制御するための手段
を備える、請求項７に記載の装置。
【請求項９】
前記モバイルデバイスの前記物理的動作コンテキストを決定するための前記手段が、
前記スモールセル中のセンサーからセンサーデータを収集するための手段
を備え、
前記装置が、
前記モバイルデバイスの前記物理的動作コンテキストを決定するために前記センサーデータを分析するための手段
をさらに備える、請求項７に記載の装置。
【請求項１０】
前記センサーが、マイクロフォン、温度センサー、光センサー、またはカメラのうちの１つまたは複数である、請求項９に記載の装置。
【請求項１１】
前記決定された物理的動作コンテキストに少なくとも部分的に基づいてデータコンテンツにアノテーションを付けるための手段と、
前記モバイルデバイスに前記アノテーション付きデータコンテンツを送信するための手段と
をさらに備える、請求項７に記載の装置。
【請求項１２】
前記出力デバイスが、ディスプレイ、１つまたは複数のライト、ライトのアレイ、サイン、またはプリンタを備える、請求項７に記載の装置。
【請求項１３】
前記スモールセルが、ピコセル、フェムトセル、マイクロセル、またはＷｉ−Ｆｉアクセスポイントのうちの１つである、請求項１２に記載の装置。
【請求項１４】
前記スモールセルが、ワイヤレスワイドエリアネットワーク（ＷＷＡＮ）トランシーバとワイヤレスローカルエリアネットワーク（ＷＬＡＮ）トランシーバとを備える、請求項１２に記載の装置。
【請求項１５】
ワイヤレスデバイスにおける通信のためのコードを記憶する非一時的コンピュータ可読媒体であって、前記コードが、請求項１乃至６の何れか１項の前記ステップをを行うように実行可能な命令を備える、非一時的コンピュータ可読媒体。
【手続補正２】
【補正対象書類名】明細書
【補正対象項目名】０１０４
【補正方法】変更
【補正の内容】
【０１０４】
[0117]本開示についての以上の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用されることができる。したがって、本開示は、本明細書で説明した例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ワイヤレス通信のための方法であって、
スモールセル中の基地局へのモバイルデバイスによってトリガされた入力に少なくとも部分的に基づいて前記スモールセル中のモバイルデバイスの物理的動作コンテキストを決定することと、ここにおいて、前記基地局が、エッジコンピューティングデバイスとコロケートされる、
前記エッジコンピューティングデバイスによって、前記決定された物理的動作コンテキストに少なくとも部分的に基づいて前記モバイルデバイスのユーザに刺激を与えるように出力デバイスを制御することと
を備える、方法。
［Ｃ２］
前記出力デバイスを制御することが、前記スモールセル中の前記モバイルデバイスによって行われたコンテンツについての要求にさらに少なくとも部分的に基づき、前記方法が、
コンテンツについての前記要求のコンテンツを走査すること
をさらに備える、［Ｃ１］に記載の方法。
［Ｃ３］
前記出力デバイスを制御することが、
ディスプレイに対する前記モバイルデバイスの近接度に少なくとも部分的に基づいて前記ディスプレイを制御すること
を備える、［Ｃ１］に記載の方法。
［Ｃ４］
前記モバイルデバイスの前記物理的動作コンテキストを決定することが、
前記スモールセル中のセンサーからセンサーデータを収集することと、
前記モバイルデバイスの前記物理的動作コンテキストを決定するために前記センサーデータを分析することと
を備える、［Ｃ１］に記載の方法。
［Ｃ５］
前記センサーが、マイクロフォン、温度センサー、光センサー、またはカメラのうちの１つまたは複数である、［Ｃ４］に記載の方法。
［Ｃ６］
前記決定された物理的動作コンテキストに少なくとも部分的に基づいてデータコンテンツにアノテーションを付けることと、
前記モバイルデバイスに前記アノテーション付きデータコンテンツを送信することと  をさらに備える、［Ｃ１］に記載の方法。
［Ｃ７］
前記データコンテンツにアノテーションを付けることが、前記データコンテンツに広告付きのアノテーションを付けることを備える、［Ｃ６］に記載の方法。
［Ｃ８］
前記出力デバイスが、ディスプレイ、１つまたは複数のライト、ライトのアレイ、サイン、またはプリンタを備える、［Ｃ１］に記載の方法。
［Ｃ９］
前記基地局のワイヤレス通信リソースが、第１のモジュール中に格納され、
前記エッジコンピューティングデバイスが、前記第１のモジュールと通信しており、それとコロケートされた第２のモジュール中に格納される、［Ｃ１］に記載の方法。
［Ｃ１０］
前記スモールセルが、ピコセル、フェムトセル、マイクロセル、またはＷｉ−Ｆｉ（登録商標）アクセスポイントのうちの１つである、［Ｃ１］に記載の方法。
［Ｃ１１］
前記スモールセルが、ワイヤレスワイドエリアネットワーク（ＷＷＡＮ）トランシーバとワイヤレスローカルエリアネットワーク（ＷＬＡＮ）トランシーバとを備える、［Ｃ１］に記載の方法。
［Ｃ１２］
ワイヤレスデバイスにおけるワイヤレス通信のための装置であって、
スモールセル中の基地局へのモバイルデバイスによってトリガされた入力に少なくとも部分的に基づいて前記スモールセル中のモバイルデバイスの物理的動作コンテキストを決定するための手段と、ここにおいて、前記基地局が、エッジコンピューティングデバイスとコロケートされる、
前記エッジコンピューティングデバイスによって、前記決定された物理的動作コンテキストに少なくとも部分的に基づいて前記モバイルデバイスのユーザに刺激を与えるように出力デバイスを制御するための手段と
を備える、装置。
［Ｃ１３］
前記出力デバイスを制御するための前記手段が、前記スモールセル中の前記モバイルデバイスによって行われたコンテンツについての要求にさらに少なくとも部分的に基づき、前記装置が、
コンテンツについての前記要求のコンテンツを走査するための手段
をさらに備える、［Ｃ１２］に記載の装置。
［Ｃ１４］
前記出力デバイスを制御するための前記手段が、
ディスプレイに対する前記モバイルデバイスの近接度に少なくとも部分的に基づいて前記ディスプレイを制御するための手段
を備える、［Ｃ１２］に記載の装置。
［Ｃ１５］
前記モバイルデバイスの前記物理的動作コンテキストを決定するための前記手段が、  前記スモールセル中のセンサーからセンサーデータを収集するための手段
を備え、
前記装置が、
前記モバイルデバイスの前記物理的動作コンテキストを決定するために前記センサーデータを分析するための手段
をさらに備える、［Ｃ１２］に記載の装置。
［Ｃ１６］
前記センサーが、マイクロフォン、温度センサー、光センサー、またはカメラのうちの１つまたは複数である、［Ｃ１５］に記載の装置。
［Ｃ１７］
前記決定された物理的動作コンテキストに少なくとも部分的に基づいてデータコンテンツにアノテーションを付けるための手段と、
前記モバイルデバイスに前記アノテーション付きデータコンテンツを送信するための手段と
をさらに備える、［Ｃ１２］に記載の装置。
［Ｃ１８］
前記データコンテンツにアノテーションを付けるための手段が、前記データコンテンツに広告付きのアノテーションを付けること
をさらに備える、［Ｃ１７］に記載の装置。
［Ｃ１９］
前記出力デバイスが、ディスプレイ、１つまたは複数のライト、ライトのアレイ、サイン、またはプリンタを備える、［Ｃ１２］に記載の装置。
［Ｃ２０］
前記基地局のワイヤレス通信リソースが、第１のモジュール中に格納され、前記エッジコンピューティングデバイスが、前記第１のモジュールと通信しており、それとコロケートされた第２のモジュール中に格納される、［Ｃ１２］に記載の装置。
［Ｃ２１］
前記スモールセルが、ピコセル、フェムトセル、マイクロセル、またはＷｉ−Ｆｉアクセスポイントのうちの１つである、［Ｃ１２］に記載の装置。
［Ｃ２２］
前記スモールセルが、ワイヤレスワイドエリアネットワーク（ＷＷＡＮ）トランシーバとワイヤレスローカルエリアネットワーク（ＷＬＡＮ）トランシーバとを備える、［Ｃ１２］に記載の装置。
［Ｃ２３］
ワイヤレスデバイスにおける通信のための装置であって、
プロセッサと、
前記プロセッサと電子通信しているメモリと、
前記メモリ中に記憶された命令と、ここにおいて、前記命令が、前記プロセッサによって、
スモールセル中の基地局へのモバイルデバイスによってトリガされた入力に少なくとも部分的に基づいて前記スモールセル中のモバイルデバイスの物理的動作コンテキストを決定することと、ここにおいて、前記基地局が、エッジコンピューティングデバイスとコロケートされる、
前記エッジコンピューティングデバイスによって、前記決定された物理的動作コンテキストに少なくとも部分的に基づいて前記モバイルデバイスのユーザに刺激を与えるように出力デバイスを制御することと
を行うように実行可能である、
を備える、装置。
［Ｃ２４］
前記出力デバイスを制御するための前記命令が、前記スモールセル中の前記モバイルデバイスによって行われたコンテンツについての要求にさらに少なくとも部分的に基づく、ここにおいて、前記命令が、前記プロセッサによって、
コンテンツについての前記要求のコンテンツを走査すること
を行うようにさらに実行可能である、［Ｃ２３］に記載の装置。
［Ｃ２５］
前記出力デバイスを制御するための前記命令が、
ディスプレイに対する前記モバイルデバイスの近接度に少なくとも部分的に基づいて前記ディスプレイを制御すること
を行うための命令を備える、［Ｃ２３］に記載の装置。
［Ｃ２６］
前記モバイルデバイスの前記物理的動作コンテキストを決定するための前記命令が、  前記スモールセル中のセンサーからセンサーデータを収集することと、
前記モバイルデバイスの前記物理的動作コンテキストを決定するために前記センサーデータを分析することと
を行うための命令を備える、［Ｃ２３］に記載の装置。
［Ｃ２７］
前記命令が、前記プロセッサによって、
前記決定された物理的動作コンテキストに少なくとも部分的に基づいてデータコンテンツにアノテーションを付けることと、
前記モバイルデバイスに前記アノテーション付きデータコンテンツを送信することと  を行うように実行可能である、［Ｃ２３］に記載の装置。
［Ｃ２８］
ワイヤレスデバイスにおける通信のためのコードを記憶する非一時的コンピュータ可読媒体であって、前記コードが、
スモールセル中の基地局へのモバイルデバイスによってトリガされた入力に少なくとも部分的に基づいて前記スモールセル中のモバイルデバイスの物理的動作コンテキストを決定することと、ここにおいて、前記基地局が、エッジコンピューティングデバイスとコロケートされる、
前記エッジコンピューティングデバイスによって、前記決定された物理的動作コンテキストに少なくとも部分的に基づいて前記モバイルデバイスのユーザに刺激を与えるように出力デバイスを制御することと
を行うように実行可能な命令を備える、非一時的コンピュータ可読媒体。
［Ｃ２９］
前記出力デバイスを制御するための前記命令が、前記スモールセル中の前記モバイルデバイスによって行われたコンテンツについての要求にさらに少なくとも部分的に基づく、ここにおいて、前記命令が、
コンテンツについての前記要求のコンテンツを走査すること
を行うようにさらに実行可能である、［Ｃ２８］に記載の非一時的コンピュータ可読媒体。
［Ｃ３０］
前記命令が、
前記スモールセル中のセンサーからセンサーデータを収集することと、
前記モバイルデバイスの前記物理的動作コンテキストを決定するために前記センサーデータを分析することと
を行うようにさらに実行可能である、［Ｃ２８］に記載の非一時的コンピュータ可読媒体。